(57)【要約】【課題】空気調和機としての性能を低下させることなく、奥行方向のコンパクト化の要請に対して充分に応えることができる空気調和機を提供する。【解決手段】ケーシング１１内に、遠心送風機１８が回転軸線Ｐを空気調和機１０の奥行方向に沿うようにして配置されると共に、遠心送風機１８の左右両側には一対の熱交換器２５が回転軸線Ｐと直交する左右方向で遠心送風機１８と部分的に重なり合うように配置されている。そのため、奥行方向のコンパクト化が可能となる。また、ケーシング１１の左右の側壁板３０Ｌ，３０Ｒを開閉可能に構成して左右の吹出口１５Ｒ，１５Ｌを形成し、空調運転中に側壁板３０Ｒ，３０Ｌを開くようにする。これによって、左右の吹出口１５Ｒ，１５Ｌからの吹出空気の圧力損失が低減すると共に、斜め方向に吹出空気を吹き出させることができる。【選択図】      図１
2006284092.tif 000002
【特許請求の範囲】
【請求項１】
空気の吸込口及び吹出口がそれぞれ設けられたケーシング内に、遠心送風機を、該遠心送風機の回転軸線がケーシングの奥行方向に沿うように配置すると共に、熱交換器を、前記遠心送風機の回転軸線と直交する方向で該遠心送風機と少なくとも部分的に重なり合うように配置した空気調和機であって、
前記ケーシングの側壁部分を開閉可能に構成して前記吹出口を形成し、空調運転中に前記側壁部分を開き、空調運転停止中に前記側壁部分を閉じるようにしたことを特徴とする空気調和機。
【請求項２】
前記側壁部分は、前記遠心送風機の回転軸線に対して５度〜７５度の範囲で開くことを特徴とする請求項１に記載の空気調和機。
【請求項３】
前記側壁部分を５度〜１０度開くことを特徴とする請求項２に記載の空気調和機。
【請求項４】
前記側壁部分を略６０度開くことを特徴とする請求項２に記載の空気調和機。
【請求項５】
前記側壁部分の内側にフラップを形成したことを特徴とする請求項１〜４のいずれか１項に記載の空気調和機。
【請求項６】
前記ケーシング内に複数個の前記遠心送風機を前記回転軸線と直交する方向に沿うように配置し、隣接する遠心送風機の間であって前記ケーシングの前面に前面側吹出口を形成し、該前面側吹出口を挟んで配置されている一対の遠心送風機からの各吹出空気を合流させて前記前面側吹出口に案内するようにしたことを特徴とする請求項１〜５のいずれか１項に記載の空気調和機。
【発明の詳細な説明】
【技術分野】
【０００１】
本発明は、ケーシング内に熱交換器と送風機とを備えた空気調和機に関する。
【背景技術】
【０００２】
従来、この種の空気調和機としては、例えば特許文献１に記載されるような空気調和機の室内機（以下、「第１従来空調機」という。）が知られている。この第１従来空調機では、箱状ケーシング内に、ケーシング前面の吸込口に対向させて熱交換器を配置すると共に、該熱交換器の背面側に遠心送風機を配置している。そして、前記遠心送風機の回転駆動に伴って前記吸込口から前記ケーシング内に吸い込まれた空気が、前記熱交換器を通過して温度調整された後、前記ケーシングの上面及び左右各面に設けられた吹出口から前記ケーシング外へ吹き出されるようにしている。
【０００３】
また、送風機に遠心送風機を用いている上記第１従来空調機とは別に、例えば特許文献２に記載されるように、送風機にクロスフロー送風機を用いた空調用室内機（以下、「第２従来空調機」という。）も知られている。この第２従来空調機では、箱状ケーシング内の上部にクロスフロー送風機を配置すると共に、該送風機よりも下方となるケーシング内位置に熱交換器を配置している。そして、クロスフロー送風機の回転駆動に伴って前記ケーシングの前面上部に設けられた吸気グリルから前記ケーシング内に吸い込まれた空気が、前記熱交換器を通過して温度調整された後、前記ケーシングの前面下部に設けられた吹出グリルから前記ケーシング外へ吹き出されるようにしている。
【特許文献１】特開平１０−１２２５８９号公報（請求項１、段落番号［００２６］、図２）
【特許文献２】特開平９−２１７９４２号公報（請求項１、図１及び図２）
【発明の開示】
【発明が解決しようとする課題】
【０００４】
ところで、近時における空気調和機には、その設置スペースを少なくしたいという観点から、奥行方向のコンパクト化、即ち薄型コンパクト化が要請されている。特に、該空気調和機が室内壁面等に設置される壁掛け式室内機として構成される場合には、室内のインテリア性を向上させるために、そのような薄型コンパクト化の要請が高い。
【０００５】
この点、上記第１従来空調機の場合は、ケーシング内で熱交換器と遠心送風機とが奥行方向に重なり合う配置態様となっているため、薄型コンパクト化という要請に対して充分に応えているとは言い難かった。一方、上記第２従来空調機の場合は、ケーシング内で熱交換器とクロスフロー送風機とが上下方向に重なり合う配置態様となっているため、上記第１従来空調機に比べて薄型コンパクト化の要請に応えるものとなっている。しかし、この第２従来空調機において薄型コンパクト化を図るには、クロスフロー送風機のファン径を小さくすることが考えられるが、そのようにした場合は、風量が低下して空気調和機としての性能が低下するため、性能を維持しながら薄型コンパクト化を図ることは容易なことではなかった。
【０００６】
本発明の目的は、ケーシング内に熱交換器と送風機とを配置してなる空気調和機であって、空気調和機としての性能を低下させることなく、奥行方向のコンパクト化（薄型コンパクト化）の要請に対して充分に応えることができる空気調和機を提供することにある。
【課題を解決するための手段】
【０００７】
請求項１に係る発明は、空気の吸込口及び吹出口がそれぞれ設けられたケーシング内に、遠心送風機を、該遠心送風機の回転軸線がケーシングの奥行方向に沿うように配置すると共に、熱交換器を、前記遠心送風機の回転軸線と直交する方向で該遠心送風機と少なくとも部分的に重なり合うように配置した空気調和機であって、
前記ケーシングの側壁部分を開閉可能に構成して前記吹出口を形成し、空調運転中に前記側壁部分を開き、空調運転停止中に前記側壁部分を閉じるようにしたことを特徴とする空気調和機である。
【０００８】
本発明では、ケーシング内で遠心送風機と熱交換器とがケーシングの奥行方向に重なり合う配置態様にならず、ケーシングの奥行方向と直交する方向で重なり合う配置態様となるため、空気調和機の奥行方向のコンパクト化、即ち薄型化の要請にも好適に対応することができる。また、ケーシングの側壁部分が開閉可能に構成されてケーシングの側面に吹出口が形成され、遠心送風機からの吹出空気がケーシングの側面から吹き出すので、側壁近傍の前面に吹出口を形成した場合と比べて、吹出空気の圧力損失が低減される。即ち、遠心送風機からの吹出空気は側壁に向かってほぼ垂直方向に吹き出することになるが、側壁近傍の前面に吹出口を形成した場合は、吹出空気の進行方向をほぼ９０度曲げて吹出口から吹き出させることになるため、圧力損失が比較的多くなってしまう。これに対し、本発明では、側壁部分を開いて吹出口とするので、吹出空気の進行方向を曲げる角度が９０度よりも小さくなり、圧力損失を低減することができるようになる。
【０００９】
また、空気調和機の正面方向に対して外側に傾斜した斜め方向に吹出空気を吹き出させることができるので、室内機として使用した場合、室内全体に空調空気を供給することが可能となり、室内の温度分布の均一化を図ることができる。これによって、室内の快適性を向上することが可能となる。
【００１０】
請求項２に係る発明は、前記側壁部分は、前記遠心送風機の回転軸線に対して５度〜７５度の範囲で開くことを特徴としている。
本発明では、側面の吹出口からの吹出空気を、空気調和機の正面方向に対して適切な角度で吹き出させることができる。したがって、室内機として使用した場合、室内の所望の場所に空調空気を供給できるようになり、室内の快適性を向上することができる。
【００１１】
請求項３に係る発明は、前記側壁部分を５度〜１０度開くことを特徴としている。
本発明では、側面の吹出口からの吹出空気を、空気調和機のほぼ正面方向に吹き出させることができる。即ち、側壁近傍の前面に吹出口を形成した場合は、吹出空気の吹出方向はほぼ９０度曲げられることになるが、厳密には９０度よりもわずかに大きな角度（９５度〜１００度程度）だけ曲げられて、正面方向に対して内側に傾斜した方向に吹き出すことになる。これに対し本発明では、正面方向に対して内側に傾斜する角度だけ側壁部分を開くことによって、側面の吹出口からの吹出空気をほぼ正面方向に吹き出させることができるようになる。
【００１２】
請求項４に係る発明は、前記側壁部分を略６０度開くことを特徴としている。
本発明では、側面の吹出口からの吹出空気を、効率よく斜め方向に吹出させることができる。これによって、室内機として使用した場合、室内全体に効率よく空調空気を供給することが可能となる。
【００１３】
請求項５に係る発明は、前記側壁部分の内側にフラップを形成したことを特徴としている。
本発明では、側面の吹出口からの吹出空気の吹出方向が、側壁部分とフラップとによって制御される。したがって、室内機として使用した場合、吹出方向を所望の方向に設定することができるので、室内の所望の場所に空調空気を供給できるようになり、室内の快適性を向上することができる。
【００１４】
請求項６に係る発明は、前記ケーシング内に複数個の前記遠心送風機を前記回転軸線と直交する方向に沿うように配置し、隣接する遠心送風機の間であって前記ケーシングの前面に前面側吹出口を形成し、該前面側吹出口を挟んで配置されている一対の遠心送風機からの各吹出空気を合流させて前記前面側吹出口に案内するようにしたことを特徴としている。
【００１５】
本発明では、隣接する２つの遠心送風機の間であってケーシングの前面に形成された前面側吹出口からは、空気調和機のほぼ正面方向に向かって空気が吹き出すようになる。即ち、２つの遠心送風機からの吹出空気をそれぞれ個別に前面側吹出口から吹き出すようにするためには、吹出空気の吹出方向をほぼ９０度曲げるためのガイド面を形成する必要がある。この構成では、ガイド面がケーシングの側面と同様に機能するので、上述したように吹出空気は厳密には９０度よりもわずかに大きな角度（９５度〜１００度程度）だけ曲げられて、正面方向に対して内側に傾斜した方向に吹き出すことになる。これに対し本発明では、２つの遠心送風機からの各吹出空気を合流させて吹出口へ案内するので、前面の吹出口からの吹出空気をほぼ正面方向に吹き出させることができるようになる。したがって、室内機として使用した場合、空調空気を室内全体に供給することができるようになり、室内の快適性を向上することができる。
【発明の効果】
【００１６】
請求項１に係る発明によれば、ケーシング内で遠心送風機と熱交換器とが、ケーシングの奥行方向と直交する方向で重なり合う配置態様となるため、空気調和機の奥行方向のコンパクト化、即ち薄型化の要請にも好適に対応することができる。また、ケーシングの側壁部分が開閉可能に構成されてケーシングの側面に吹出口が形成され、遠心送風機からの吹出空気がケーシングの側面から吹き出すので、側壁近傍の前面に吹出口を形成した場合と比べて、吹出空気の圧力損失が低減される。さらに、空気調和機の正面方向に対して外側に傾斜した斜め方向に吹出空気を吹き出させることができるので、室内機として使用した場合、室内全体に空調空気を供給することが可能となり、室内の温度分布の均一化を図ることができる。これによって、室内の快適性を向上することが可能となる。
【００１７】
また請求項２〜５に係る発明によれば、側面の吹出口からの吹出空気を、空気調和機の正面方向に対して適切な角度で吹き出させることができる。したがって、室内機として使用した場合、室内の所望の場所に空調空気を供給することが可能となり、室内の快適性を向上することができる。
【００１８】
また請求項６に係る発明によれば、隣接する２つの遠心送風機の間であってケーシングの前面に形成された前面側吹出口からは、空気調和機のほぼ正面方向に向かって空気が吹き出すようになる。したがって、室内機として使用した場合、空調空気を室内全体に供給することができるようになり、室内の快適性を向上することができる。
【発明を実施するための最良の形態】
【００１９】
以下、本発明を空気調和機の室内機に具体化した一実施形態を、図１〜図３を参照しながら説明する。図１は、本実施形態である空気調和機１０の横断面図であり、（ａ）は空調停止中の状態を示し、（ｂ）は空調運転中の状態を示している。また図２は、空気調和機１０の斜視図であり、（ａ）は空調運転停止中の状態を示し、(ｂ)は空調運転中の状態を示している。また図３は、空気調和機１０の縦断面図である。
【００２０】
図１〜図３に示すように、本実施形態の空気調和機１０は、横長箱状のケーシング１１を備えており、該ケーシング１１の背面（後面）を室内壁面（例えば、天井間近で横梁状をなす縦幅の狭い壁面部分）に対向させた状態で設置される壁掛け式薄型の室内機として構成されている。
【００２１】
ケーシング１１は、前面側が開口したケーシング本体１２と、該ケーシング本体１２の前面側を閉塞する前面パネル１３とから構成されている。前面パネル１３の表面側（前面側）において左右方向へ離間した２箇所には、複数の長尺フラップ９が上下方向に列設されてなる吸込口１４がそれぞれ設けられている。また、２つの吸込口１４の間には、複数の短尺フラップ８が上下方向に列設されてなる前面側吹出口１５Ｆが設けられている。さらに、ケーシング１１の右側部及び左側部には、それぞれ開閉可能な右側吹出口１５Ｒ及び左側吹出口１５Ｌが設けられている。なお、図２（ｂ）では、右側の吸込口１４については長尺フラップ９及び後述するエアフィルタ１７を省略している。
【００２２】
右側吹出口１５Ｒには、右側壁板３０Ｒが支持軸３１Ｒ回りに回転可能に取り付けられている。支持軸３１Ｒは、上下方向に沿って設けられる。したがって、右側壁板３０Ｒは左右方向に回転して右側吹出口１５Ｒを開閉する。右側壁板３０Ｒの内側（ケーシング１１側）には、上端に天板３２Ｒが、下端に底板３３Ｒがそれぞれ取り付けられている。天板３２Ｒと底板３３Ｒとを設けることによって、右側壁板３０Ｒが開いたときに、吹出空気が上方及び下方に吹き出すことを防止できる。天板３２Ｒと底板３３Ｒとは、同じ形状であり、平面視扇形状の板体である。天板３２Ｒ及び底板３３Ｒは、円弧状端面が前方に向くように配置され、一対の直線状端面のうちの一方端面が右側壁板３０Ｒの内側に固定されている。円弧状端面の長さは、右側壁板３０Ｒの開く角度に応じて設定される。
【００２３】
さらに、右側壁板３０Ｒの内側には、天板３２Ｒと底板３３Ｒとの間にほぼ等間隔で、複数のフラップ３４Ｒが角変位可能に設けられている。フラップ３４Ｒの角変位軸は、右側壁板３０Ｒの表面に対して垂直方向に設定されている。したがって、フラップ３４Ｒは、上下方向に向きを変えることができ、これによって吹出空気の吹出方向を制御することができる。
【００２４】
一方、左側吹出口１５Ｌには、左側壁板３０Ｌが支持軸３１Ｌ回りに回転可能に取り付けられている。したがって、左側壁板３０Ｌは左右方向に回転して左側吹出口１５Ｌを開閉する。なお、左側壁板３０Ｌの内側にも、天板（図示せず）、底板３３Ｌ、フラップ３４Ｌが設けられるが、右側壁板３０Ｒの場合と同様であるので、詳細な説明は省略する。
【００２５】
次に、ケーシング１１内の部材配置構成を説明する。ケーシング本体１２内は、図３に示すように、水平仕切板１によって上側収納部２と下側収納部３とに区分されている。ケーシング１１内の下側収納部３には、電装品箱４、冷媒配管５、ドレン配管６などが配置されている。
【００２６】
一方、ケーシング本体１２内の上側収納部２には、複数（左右一対）の遠心送風機１８が、回転軸線Ｐを前後方向、即ちケーシング１１の奥行方向に沿わせた状態で各吸込口１４と各別に対向するように配置されている。そして、それら各別に対向する吸込口１４と遠心送風機１８との間には、正面視円環状をなす空気ガイドであるベルマウス１９が各遠心送風機１８と同軸配置となるように配置されている。
【００２７】
各ベルマウス１９は、遠心送風機１８側となる後面側から吸込口１４側となる前面側、即ちケーシング１１の奥行方向手前側に向けて末広がり状をなすように形成されている。そして、各ベルマウス１９は、その前端縁が前面パネル１３に対して吸込口１４の背面側に形成された支持部材２８で支持されることによって取り付けられている。また、各ベルマウス１９は、その前端縁よりも小径に形成された後端縁が遠心送風機１８の前端近傍まで延設され、吸込口１４からケーシング１１内に流入した空気を遠心送風機１８に向けて円滑にガイドするようになっている。また、ベルマウス１９の前端縁には、フィルタ枠１６が一体的に形成されており、このフィルタ枠１６にはエアフィルタ１７が着脱可能に保持されている。そして、エアフィルタ１７の前方側には、上述した長尺フラップ９が配置されている。
【００２８】
遠心送風機１８は、略円盤形状をなすハブ２０と該ハブ２０の外周部前面から前方へ向けて突設された多数枚の円弧片状の羽根２１とを備えてなる羽根部２２と、該羽根部２２を回転駆動させるためのモータ２３と、羽根部２２の前端側に配置されるシュラウド２４とを備えている。この遠心送風機１８は、羽根部２２の回転駆動に基づき発生する遠心力によって、該遠心送風機１８内から空気を回転軸線Ｐと直交する遠心方向（ラジアル方向）へ向けて吹き出す遠心送風機能を有するものである。そして、各遠心送風機１８は、ケーシング１１の後側壁面に各モータ２３が固定されると共に、該各モータ２３から前方へ向けて回転軸線Ｐに軸線を一致させるように突設された支持軸２３ａの先端部に、各遠心送風機１８の羽根部２２が回動自在に支持されている。
【００２９】
また、ケーシング本体１２内において、遠心送風機１８の左右両側には、該遠心送風機１８を左右両側から挟むようにして、左右一対の熱交換器２５が配置されている。各熱交換器２５は、複数の伝熱プレートを積層すると共に、各伝熱プレート間にそれぞれ複数のフィンを前記伝熱プレートの積層方向に直交する方向に配列して構成される。本実施形態では各熱交換器２５は、伝熱プレートの積層方向が遠心送風機１８の回転軸線Ｐに平行となり、フィンの配列方向が遠心送風機１８の回転軸線Ｐを含む垂直平面に対して平行となるように配置されている。
【００３０】
即ち、各熱交換器２５は、遠心送風機１８の回転軸線Ｐを中心とした場合に１８０度の角度間隔をおいた位置に各熱交換器２５の中心が位置するように配置されており、左右で対をなす各熱交換器２５どうしは遠心送風機１８の回転軸線Ｐを含む垂直平面を対称面とした場合に面対称となる配置態様に配置されている。そして、このような配置態様としたことによって、各熱交換器２５は、遠心送風機１８の回転軸線Ｐと直交する方向で該遠心送風機１８とそれぞれ部分的に重なり合うことになる。本実施形態では、遠心送風機１８の回転軸線Ｐに沿う方向を奥行方向とした場合に、遠心送風機１８の奥行方向長さ全体が熱交換器２５の奥行方向長さの一部に重なり合う配置態様とされている。
【００３１】
また、ケーシング本体１２内において、遠心送風機１８から見た場合における熱交換器２５の背面側には、該熱交換器２５との対向面に円弧面状のガイド面２６ａを備えたガイドブロック２６がそれぞれ配置されている。そして、各ガイドブロック２６と各熱交換器２５との間には、吹出口１５Ｆ，１５Ｒ，１５Ｌにそれぞれ連通する空気吹出流路２７Ｆ，２７Ｒ，２７Ｌが設けられている。そのため、遠心送風機１８からラジアル方向に吹き出された空気は、熱交換器２５の各フィン間を通過した後、その空気吹出流が空気吹出流路２７Ｆ，２７Ｒ，２７Ｌ内においてガイド面２６ａに沿って円滑に吹出口１５Ｆ，１５Ｒ，１５Ｌの方向へ案内されることになる。
【００３２】
次に、上記のように構成された本実施形態の空気調和機１０における動作を説明する。空調運転が指示されると、吸込口１４の前面側に配置されている長尺フラップ９が開くと共に、短尺フラップ８が開き、さらに右側壁板３０Ｒ及び左側壁板３０Ｌが開く。その後、モータ２３の駆動力に基づいて遠心送風機１８の羽根部２２が回転駆動されると、図１に矢印Ａ１，Ａ２で示すように、ケーシング１１内には吸込口１４から空気が吸い込まれる。吸い込まれた空気は、エアフィルタ１７を通過した後、ベルマウス１９の内面に沿って滑らかに遠心送風機１８へと案内される。そして、遠心送風機１８内に流入した空気は、該遠心送風機１８の遠心送風機能によって、図１に矢印Ａ１，Ａ２で示すように、回転軸線Ｐと直交するラジアル方向へ吹き出される。
【００３３】
遠心送風機１８から吹き出された空気は、該遠心送風機１８の左右両側に平行状態に立設配置された各熱交換器２５の各フィン間を通過し、その際に冷媒配管を介して熱交換器２５内を流れる冷媒との熱交換によって温度調整（加熱又は冷却）される。ここで、遠心送風機１８の左右両側に配置された各熱交換器２５どうしは、遠心送風機１８の回転軸線Ｐを含む垂直平面を対称面とした場合に面対称となる配置態様とされている。そのため、各熱交換器２５を通過して当該各熱交換器２５の背面から吹き出される空気の風量分布は左右ほぼ均一とされる。
【００３４】
その後、各熱交換器２５の背面から吹き出された空気は、当該各熱交換器２５とガイドブロック２６との間に形成された空気吹出流路２７Ｆ，２７Ｒ，２７Ｌ内へ流入する。空気吹出流路２７Ｆ内において、空気は図１に矢印Ａ１で示すように、その空気吹出流の方向が、ガイドブロック２６の内面側に形成された円弧面状をなすガイド面２６ａによって、前面側吹出口１５Ｆに向けて滑らかに案内される。そのため、空気は、空気吹出流路２７Ｆ内での空気吹出流の圧力損失が好適に低減される。また、空気吹出流路２７Ｒ，２７Ｌ内において、空気は図１に矢印Ａ２で示すように、その空気吹出流の方向が、ガイドブロック２６の内面側に形成された円弧面状をなすガイド面２６ａによって、右側吹出口１５Ｒ及び左側吹出口１５Ｌに向けてそれぞれ滑らかに案内される。そのため、空気は、空気吹出流路２７Ｒ，２７Ｌ内での空気吹出流の圧力損失が好適に低減される。
【００３５】
そして、空気吹出流路２７Ｆ，２７Ｒ，２７Ｌ内を吹出口１５Ｆ，１５Ｒ，１５Ｌまで導かれた空気は、該吹出口１５Ｆ，１５Ｒ，１５Ｌからケーシング１１外へと吹き出される。即ち、本実施形態の空気調和機１０では、ケーシング１１の前面側から室内の空気を吸い込み、ケーシング１１の前面側及び側面側から温度調整された空気を室内に吹き出す。その際、温度調整された空気は、２つの吸込口１４の間に設けられた前面側吹出口１５Ｆと、ケーシング１１の右側面及び左側面にそれぞれ設けられた右側吹出口１５Ｒ及び左側吹出口１５Ｌとから、ケーシング１１外へと吹き出されることになるため、左右方向へ広範囲に亘って吹き出される。
【００３６】
本実施形態の空気調和機１０では、ケーシング１１の右側壁板３０Ｒ及び左側壁板３０Ｌが開閉可能に構成されてケーシング１１の側面に右側吹出口１５Ｒ及び左側吹出口１５Ｌが形成され、吹出空気がケーシング１１の側面から吹き出すので、側壁近傍の前面に吹出口を形成した場合と比べて、吹出空気の圧力損失が低減される。即ち、遠心送風機１８からの吹出空気は側壁に向かってほぼ垂直方向に吹き出することになるが、図４に示すように側壁近傍の前面に右側吹出口４５Ｒ及び左側吹出口４５Ｌを形成した場合は、矢印Ａ３で示すように、吹出空気の進行方向をほぼ９０度曲げて吹出口４５Ｒ，４５Ｌから吹き出させることになるため、圧力損失が比較的多くなってしまう。これに対し、本実施形態では、右側壁板３０Ｒおよび左側壁板３０Ｌを開いて吹出口１５Ｒ，１５Ｌを開放するので、吹出空気の進行方向を曲げる角度が９０度よりも小さくなり、圧力損失を低減することができるようになる。
【００３７】
また、空気調和機１０の正面方向に対して外側に傾斜した斜め方向に吹出空気を吹き出させることができるので、室内全体に空調空気を供給することが可能となり、室内の温度分布の均一化を図ることができる。これによって、室内の快適性を向上することが可能となる。
【００３８】
右側壁板３０Ｒ及び左側壁板３０Ｌは、遠心送風機１８の回転軸線Ｐに対して５度〜７５度の範囲で開くように構成している。これによって、右側吹出口１５Ｒ及び左側吹出口１５Ｌからの吹出空気を、空気調和機１０の正面方向に対して適切な角度で吹き出させることができる。したがって、室内の所望の場所に空調空気を供給できるようになり、室内の快適性を向上することができる。
【００３９】
また、右側壁板３０Ｒ及び左側壁板３０Ｌを５度〜１０度開くと、右側吹出口１５Ｒ及び左側吹出口１５Ｌからの吹出空気を、空気調和機１０のほぼ正面方向に吹き出させることができる。即ち、図４に示すように、側壁近傍の前面に右側吹出口４５Ｒ及び左側吹出口４５Ｌを形成した場合は、吹出空気の吹出方向はほぼ９０度曲げられることになるが、厳密には９０度よりもわずかに大きな角度（９５度〜１００度程度）だけ曲げられて、正面方向に対して内側に傾斜した方向に吹き出すことになる（矢印Ａ３参照）。これに対し本実施形態では、正面方向に対して内側に傾斜する角度だけ右側壁板３０Ｒ及び左側壁板３０Ｌを開くことによって、右側吹出口１５Ｒ及び左側吹出口１５Ｌからの吹出空気をほぼ正面方向に吹き出させることができるようになる。
【００４０】
また、右側壁板３０Ｒ及び左側壁板３０Ｌを略６０度開くと、右側吹出口１５Ｒ及び左側吹出口１５Ｌからの吹出空気を、効率よく斜め方向に吹出させることができる。これによって、室内全体に効率よく空調空気を供給することが可能となる。
【００４１】
また、右側壁板３０Ｒ及び左側壁板３０Ｌの内側にフラップ３４Ｒ，３４Ｌを形成したので、右側吹出口１５Ｒ及び左側吹出口１５Ｌからの吹出空気の吹出方向が、右側壁板３０Ｒ及び左側壁板３０Ｌによって左右方向に制御され、フラップ３４Ｒ，３４Ｌによって上下方向に制御される。したがって、吹出方向を所望の方向に設定することができるので、室内の所望の場所に空調空気を供給できるようになり、室内の快適性を向上することができる。
【００４２】
さらに本実施形態では、前面側吹出口１５Ｆに関しては、前面側吹出口１５Ｆを挟んで配置されている一対の遠心送風機１８からの各吹出空気を合流させて前面側吹出口１５Ｆに案内するようにしている。これによって、前面側吹出口１５Ｆからは、空気調和機１０のほぼ正面方向に向かって空気が吹き出すようになる。
【００４３】
即ち、２つの遠心送風機１８からの吹出空気をそれぞれ個別に前面側吹出口１５Ｆから吹き出すようにするためには、図４に示すように、ガイドブロック４６のガイド面４６ａを、吹出空気の吹出方向をほぼ９０度曲げることができるように形成する必要がある。この構成では、ガイド面４６ａがケーシング１１の側面と同様に機能するので、上述したように吹出空気は厳密には９０度よりもわずかに大きな角度（９５度〜１００度程度）だけ曲げられて、正面方向に対して内側に傾斜した方向に吹き出すことになる（矢印Ａ４参照）。これに対し本実施形態では、２つの遠心送風機１８からの各吹出空気を合流させて前面側吹出口１５Ｆへ案内するので、前面側吹出口１５Ｆからの吹出空気をほぼ正面方向に吹き出させることができるようになる。したがって、空調空気を室内全体に供給することができるようになり、室内の快適性を向上することができる。
【００４４】
また、空気調和機１０を室内壁面に設置する際には、ケーシング１１（ケーシング本体１２）の背面を室内壁面に対向させた状態にして固定される。ここで、空気調和機１０では、ケーシング１１内において、遠心送風機１８と熱交換器２５とが空気調和機１０の奥行方向となる前後方向で重なり合う配置態様でなく、奥行方向と直交する左右方向において部分的に重なり合う配置態様とされている。また、遠心送風機１８と熱交換器２５とが、ケーシング１１内において上下方向で重なり合う配置態様ともなっていない。そのため、空気調和機１０の前後方向及び上下方向のサイズがコンパクトとなり、例えば天井間近で横梁状をなす縦幅の狭い壁面部分に対しても、室内側への出っ張りを少なくした状態で、室内インテリア性を損なわせることなく設置することが可能となる。
【００４５】
上記実施形態によれば、以下のような効果を得ることができる。
（１）上記実施形態では、ケーシング１１内で遠心送風機１８と熱交換器２５とがケーシング１１の前後方向（空気調和機１０の奥行方向）に重なり合う配置態様とならず、遠心送風機１８の回転軸線Ｐと直交する左右方向で重なり合う配置態様となれている。そのため、室内インテリア性を向上させるために掲げられる空気調和機１０の奥行方向のコンパクト化、即ち薄型コンパクト化の要請にも好適に対応することができる。また、このような配置態様とするに際して、遠心送風機１８を小型化する等ということもないため、必要充分な風量を確保でき、空気調和機１０としての性能が低下することもない。
【００４６】
（２）上記実施形態では、右側吹出口１５Ｒ及び左側吹出口１５Ｌからの吹出空気を、空気調和機１０の正面方向に対して適切な角度で吹き出させることができる。したがって、室内の所望の場所に空調空気を供給することが可能となり、室内の快適性を向上することができる。
【００４７】
（３）上記実施形態では、前面側吹出口１５Ｆからは、空気調和機１０のほぼ正面方向に向かって空気が吹き出すようになる。したがって、空調空気を室内全体に供給することができるようになり、室内の快適性を向上することができる。
【図面の簡単な説明】
【００４８】
【図１】（ａ）（ｂ）は本発明の一実施形態である空気調和機の横断面図。
【図２】（ａ）（ｂ）空気調和機の外観を示す斜視図。
【図３】空気調和機の縦断面図。
【図４】本発明の空気調和機に対する比較例の構成を示す横断面図。
【符号の説明】
【００４９】
８…短尺フラップ、９…長尺フラップ、１０…空気調和機、１１…ケーシング、１２…ケーシング本体、１３…前面パネル、１４…吸込口、１５Ｆ…前面側吹出口、１５Ｒ…右側吹出口、１５Ｌ…左側吹出口、１６…フィルタ枠、１７…エアフィルタ、１８…遠心送風機、１９…ベルマウス、２０…ハブ、２１…羽根、２２…羽根部、２３…モータ、２３ａ…支持軸、２４…シュラウド、２５…熱交換器、２６…ガイドブロック、２６ａ…ガイド面、２７Ｆ、２７Ｒ，２７Ｌ…空気吹出流路、２８…支持部材、３０Ｒ…右側壁板、３０Ｌ…左側壁板、３１Ｒ，３１Ｌ…支持軸、３２Ｒ，３２Ｌ…天板、３３Ｒ，３３Ｌ…底板、３４Ｒ，３４Ｌ…フラップ、Ｐ…回転軸線。
【図１】
2006284092.tif 000003
【図２】
2006284092.tif 000004
【図３】
2006284092.tif 000005
【図４】
2006284092.tif 000006